(57)【特許請求の範囲】
【請求項１】
金属線材によって網状に形成された底部または側部を備えた受具に配線・配管材を直接または引込ロープを介して引込んで布設する配線・配管材の引込装置であって、
布設方向に離間して配設され、前記受具の底部に前記布設方向と略直交して配設された金属線材に側方から外嵌して取付けられ、前記金属線材を軸に回転する一対の引込ローラと、
前記一対の引込ローラ間に張設され、前記引込ローラ間の巡回動により、連結された前記配線・配管材または前記引込ロープを前記受具に引込む巡回ロープとを備えたことを特徴とする配線・配管材の引込装置。
【請求項２】
金属線材によって網状に形成された底部または側部を備えた受具に配線・配管材を直接または引込ロープを介して引込んで布設する配線・配管材の引込装置であって、
布設方向に離間して配設され、前記受具の側部に前記布設方向と略直交して配設された金属線材に側方から外嵌して取付けられ、前記金属線材を軸に回転する一対の引込ローラと、
前記一対の引込ローラ間に張設され、前記引込ローラ間の巡回動により、連結された前記配線・配管材または前記引込ロープを前記受具に引込む巡回ロープとを備えたことを特徴とする配線・配管材の引込装置。
【請求項３】
前記引込ローラ間に掛け渡された巡回ロープの巡回動を案内すべく、前記受具の底部または側部に布設方向に略直交して配設された金属線材に側方から外嵌して前記引込ローラ間に配設された補助ローラを更に備えたことを特徴とする請求項１または請求項２に記載の配線・配管材の引込装置。
【請求項４】
前記引込ローラ及び補助ローラの少なくとも一方は、前記巡回ロープを保持するロープ保持凹部を備えたことを特徴とする請求項１乃至請求項３のいずれか１項に記載の配線・配管材の引込装置。
【請求項５】
前記引込ローラ及び補助ローラの少なくとも一方は、前記金属線材の側方から外嵌可能な複数の分割体で構成されたことを特徴とする請求項１乃至請求項４のいずれか１項に記載の配線・配管材の引込装置。
【請求項６】
前記引込ローラ及び補助ローラの少なくとも一方は、前記巡回動により引込む引込力を軽減すべく、前記配線・配管材または前記引込ロープを支持する支持部が設けられたことを特徴とする請求項１乃至請求項５のいずれか１項に記載の配線・配管材の引込装置。
【請求項７】
前記引込ローラ及び補助ローラの少なくとも一方は、側面に前記支持部に支持された配線・配管材または引込ロープの抜脱を防止する鍔部を備えたことを特徴とする請求項６に記載の配線・配管材の引込装置。
【請求項８】
前記支持部は、前記ロープ保持凹部の上方に設けられたことを特徴とする請求項６または請求項７に記載の配線・配管材の引込装置。
【請求項９】
金属線材によって網状に形成された底部または側部を備えた受具に配線・配管材を直接または引込ロープを介して引込んで布設するための配線・配管材の引込ローラであって、
前記受具の底部に布設方向と略直交して配設された金属線材に側方から外嵌して布設方向に離間して一対配設され、
前記金属線材を軸に回転し、
一対の間に掛け渡されて巡回動するとともに前記配線・配管材または引込ロープが連結される巡回ロープの保持部を備えたことを特徴とする配線・配管材の引込ローラ。
【請求項１０】
金属線材によって網状に形成された底部または側部を備えた受具に配線・配管材を直接または引込ロープを介して引込んで布設するための配線・配管材の引込ローラであって、
前記受具の側部に布設方向と略直交して配設された金属線材に側方から外嵌して布設方向に離間して一対配設され、
前記金属線材を軸に回転し、
一対の間に掛け渡されて巡回動するとともに前記配線・配管材または引込ロープが連結される巡回ロープの保持部を備えたことを特徴とする配線・配管材の引込ローラ。
【請求項１１】
金属線材によって網状に形成された底部または側部を備えた受具に配線・配管材を直接または引込ロープを介して引込んで布設するための配線・配管材の補助ローラであって、
布設方向に離間して一対配設された引込ローラ間において、前記受具の底部に配設された前記金属線材に側方から外嵌して配設され、
前記金属線材を軸に回転し、
前記配線・配管材または引込ロープが連結されて前記引込ローラ間を巡回動する巡回ロープの保持部を備えたことを特徴とする配線・配管材の補助ローラ。
【請求項１２】
金属線材によって網状に形成された底部または側部を備えた受具に配線・配管材を直接または引込ロープを介して引込んで布設するための配線・配管材の補助ローラであって、
布設方向に離間して一対配設された引込ローラ間において、前記受具の側部に配設された前記金属線材に側方から外嵌して配設され、
前記金属線材を軸に回転し、
前記配線・配管材または引込ロープが連結されて前記引込ローラ間を巡回動する巡回ロープの保持部を備えたことを特徴とする配線・配管材の補助ローラ。
【発明の詳細な説明】
【０００１】
【発明の属する技術分野】
本発明は、金属線材を溶接等によって網状に形成された受具にケーブル等の配線・配管材を引込む配線・配管材の引込装置、その引込ローラ及び補助ローラに関するものである。
【０００２】
【従来の技術】
従来より、配線・配管材用の受具として、親桁と子桁とからなるラダータイプのものや、金属線材によって網状に形成されたメッシュタイプのものがあり、例えば、特開平４−３４７５１４号公報にはメッシュタイプのものが掲載されている。
【０００３】
また、従来より、受具上に配線・配管材を引き込んで布設するものにおいて、該受具に沿ってループ状にしたガイドワイヤを掛巡状態で配置し、該ガイドワイヤを牽引して巡回動させることにより、該ガイドワイヤに連結されたケーブル引込用のメッセンジャーロープを引込んで布設するものがあり、例えば、特公平７−８７６６０号公報にその技術が開示されている。
【０００４】
【発明が解決しようとする課題】
しかし、前記特公平７−８７６６０号公報に掲載の配線・配管材の引込装置は、数種の支持金具やワイヤー筒等を必要とし、部品数の多い大がかりな装置であり、これらを受具に沿って多数取付けるのは極めて面倒であった。
【０００５】
また、前記特公平７−８７６６０号公報に掲載された構成のガイドワイヤでは、張設に相当の張力が必要であり、実際の施工が困難であった。前記張力が弱いと前記ガイドワイヤがたるんで引込不可となり、また、軽量のメッセンジャーロープは引込めたとしても、重いケーブル等の引込みは不可能である。
【０００６】
更に、前記ガイドワイヤの張設は受具の親桁の上方に限定されるため、受具の巾方向の所定位置にケーブル等を引込むことができなかった。
【０００７】
そして、前記各部品は、前記特公平７−８７６６０号公報などに掲載の、押出成形等によって親桁や子桁を種々の断面形状に構成できるラダータイプの受具には取付可能であるが、単に金属線材のみで形成されるメッシュタイプの受具に強固に取付けるのは困難であった。
【０００８】
そこで、本発明は、簡易な構成で、金属線材によって網状に形成されたメッシュタイプの受具に簡単に取付けでき、前記受具の所定位置に楽に配線・配管材を引込むことのできる配線・配管材の引込装置、その引込ローラ及び補助ローラの提供を課題とするものである。
【０００９】
【課題を解決するための手段】
請求項１に係る配線・配管材の引込装置は、金属線材によって網状に形成された底部または側部を備えた受具に配線・配管材を直接または引込ロープを介して引込んで布設するものであって、布設方向に離間して配設され、前記受具の底部に前記布設方向と略直交して配設された金属線材に側方から外嵌して取付けられ、前記金属線材を軸に回転する一対の引込ローラと、前記一対の引込ローラ間に張設され、前記引込ローラ間の巡回動により、連結された前記配線・配管材または前記引込ロープを前記受具に引込む巡回ロープとを備えたものである。
【００１０】
請求項２に係る配線・配管材の引込装置は、金属線材によって網状に形成された底部または側部を備えた受具に配線・配管材を直接または引込ロープを介して引込んで布設するものであって、布設方向に離間して配設され、前記受具の側部に前記布設方向と略直交して配設された金属線材に側方から外嵌して取付けられ、前記金属線材を軸に回転する一対の引込ローラと、前記一対の引込ローラ間に張設され、前記引込ローラ間の巡回動により、連結された前記配線・配管材または前記引込ロープを前記受具に引込む巡回ロープとを備えたものである。
【００１２】
請求項３に係る配線・配管材の引込装置は、請求項１または請求項２に記載の配線・配管材の引込装置が、引込ローラ間に掛け渡された巡回ロープの巡回動を案内すべく、前記受具の底部または側部に布設方向に略直交して配設された金属線材に側方から外嵌して前記引込ローラ間に配設された補助ローラを更に備えたものである。
【００１３】
請求項４に係る配線・配管材の引込装置は、請求項１乃至請求項３のいずれか１項に記載の引込ローラ及び補助ローラの少なくとも一方が、巡回ロープを保持するロープ保持凹部を備えたものである。
【００１４】
請求項５に係る配線・配管材の引込装置は、請求項１乃至請求項４のいずれか１項に記載の引込ローラ及び補助ローラの少なくとも一方が、金属線材の側方から外嵌可能な複数の分割体で構成されたものである。
【００１５】
請求項６に係る配線・配管材の引込装置は、請求項１乃至請求項５のいずれか１項に記載の引込ローラ及び補助ローラの少なくとも一方に、巡回動により引込む引込力を軽減すべく、前記配線・配管材または前記引込ロープを支持する支持部が設けられたものである。
【００１６】
請求項７に係る配線・配管材の引込装置は、請求項６に記載の引込ローラ及び補助ローラの少なくとも一方が、側面に支持部に支持された配線・配管材または引込ロープの抜脱を防止する鍔部を備えたものである。
【００１７】
請求項８に係る配線・配管材の引込装置は、請求項６または請求項７に記載の支持部が、ロープ保持凹部の上方に設けられたものである。
【００１８】
請求項９に係る配線・配管材の引込ローラは、金属線材によって網状に形成された底部または側部を備えた受具に配線・配管材を直接または引込ロープを介して引込んで布設するためのものであって、前記受具の底部に布設方向と略直交して配設された金属線材に側方から外嵌して布設方向に離間して一対配設され、前記金属線材を軸に回転し、一対の間に掛け渡されて巡回動するとともに前記配線・配管材または引込ロープが連結される巡回ロープの保持部を備えたものである。
また、請求項１０に係る配線・配管材の引込ローラは、金属線材によって網状に形成された底部または側部を備えた受具に配線・配管材を直接または引込ロープを介して引込んで布設するためのものであって、前記受具の側部に布設方向と略直交して配設された金属線材に側方から外嵌して布設方向に離間して一対配設され、前記金属線材を軸に回転し、一対の間に掛け渡されて巡回動するとともに前記配線・配管材または引込ロープが連結される巡回ロープの保持部を備えたものである。
【００１９】
請求項１１に係る配線・配管材の補助ローラは、金属線材によって網状に形成された底部または側部を備えた受具に配線・配管材を直接または引込ロープを介して引込んで布設するためのものであって、布設方向に離間して一対配設された引込ローラ間において、前記受具の底部に配設された前記金属線材に側方から外嵌して配設され、前記金属線材を軸に回転し、前記配線・配管材または引込ロープが連結されて前記引込ローラ間を巡回動する巡回ロープの保持部を備えたものである。
また、請求項１２に係る配線・配管材の補助ローラは、金属線材によって網状に形成された底部または側部を備えた受具に配線・配管材を直接または引込ロープを介して引込んで布設するためのものであって、布設方向に離間して一対配設された引込ローラ間において、前記受具の側部に配設された前記金属線材に側方から外嵌して配設され、前記金属線材を軸に回転し、前記配線・配管材または引込ロープが連結されて前記引込ローラ間を巡回動する巡回ロープの保持部を備えたものである。
【００２０】
【発明の実施の形態】
以下、本発明の実施例を図に基づいて説明する。
【００２１】
図１において、引込装置１は受具２の布設路３の始点から終点までの間において、布設方向に所定距離離間して取付けられた一対の引込ローラ１１と、前記一対の引込ローラ１１の中央部に形成されたロープ保持凹部１１ｃに掛け渡されてこの引込ローラ１１の間を巡回動すべく張設された巡回ロープ２１とで構成されている。前記受具２は断面略円形状の金属線材４を縦横の網状に溶接して底部５と、その両側に立設された側部６とに形成されている。そして、前記受具２の内部に形成された布設路３には、配線・配管材であるケーブル４１が収容されるようになっている。
【００２２】
前記引込ローラ１１は、図３に示すように、中央で第１分割体１２と第２分割体１３とに分割され、それぞれに前記受具２の金属線材４に外嵌される軸凹部１２ａ及び軸凹部１３ａが形成されている。前記第１分割体１２及び第２分割体１３の両側部にはそれぞれ鍔部１２ｂ、鍔部１３ｂが形成され、中央部には前記巡回ロープ２１を保持するロープ保持凹部１２ｃ、ロープ保持凹部１３ｃが形成されている。更に、前記第１分割体１２及び第２分割体１３の各両側面にはそれぞれ対向する位置に係合凸部１２ｄ、係合凸部１３ｄ及び突片１２ｅ、突片１３ｅが設けられるとともに、この突片１２ｅ、突片１３ｅには前記係合凸部１２ｄ、係合凸部１３ｄと係合する係合孔１２ｆ、係合孔１３ｆが形成されている。
【００２３】
この引込ローラ１１を金属線材４によって網状に形成された受具２に取付けるには、第１分割体１２と第２分割体１３とを任意の位置における金属線材４に外嵌方から挟むように外嵌した後、両側から挟圧すればよく、これによって、第１分割体１２の係合凸部１２ｄと第２分割体１３の係合孔１３ｆ、第２分割体１３の係合凸部１３ｄと第１分割体１２の係合孔１２ｆとがそれぞれ弾性的に係合し、１個の引込ローラ１１が形成され、かつ、前記金属線材４に簡単に取付けられることとなる。
【００２４】
なお、金属線材４に取付けるローラは上述のように２分割したものに限らず、図４乃至図６に示すように、１個のローラ本体１４に中央部に至る切欠１４ａを形成し、この切欠１４ａから金属線材４に外嵌した後、保持部材１５を嵌め込むものとしてもよい。ここで、前記切欠１４ａ及び保持部材１５にはそれぞれ互いに係合する係合凹部１４ｂ及び係合突起１５ａが形成されており、これらが係合して金属線材４からの抜外れが防止されている。また、ローラ本体１４及び保持部材１５にはそれぞれ巡回ロープ２１を保持するためのロープ保持凹部１４ｃ及びロープ保持凹部１５ｂが設けられている。なお、切欠１４ａへの保持部材１５の保持手段は係合凹部１４ｂ及び係合突起１５ａに限らず、他の手段を用いてもよい。
【００２５】
また、図７及び図８に示すように、中心部に至る切欠１７を設けた２個の円柱状のローラ本体１６を軸方向に重合した引込ローラ１１とすることもできる。ここで、前記ローラ本体１６の互いに対向する側にはそれぞれロープ保持凹部１６ａが形成されている。そして、各ローラ本体１６の所定半径の同一円周上にボルト１８が挿通される貫通孔１９が設けられており、これらの貫通孔１９は切欠１７を基準として異なる位相に穿設されている。
【００２６】
この引込ローラ１１を金属線材４に取付けるには、切欠１７の位置を一致させた状態で２個のローラ本体１６を一体に金属線材４に側方から外嵌し、次いで、一方のローラ本体１６を貫通孔１９同士が一致して貫通する図８に示す位置まで回動させた後、ボルト２４を挿通してねじ止めする。これにより、引込ローラ１１は金属線材４からの抜外れが防止される。なお、ボルト１８は一方のローラ本体１６の貫通孔１９内にナットを埋設して取付けるようにしてもよい。
【００２７】
一方、巡回ロープ２１はケーブル４１またはこのケーブル４１を引込むための引込ロープを受具２の布設路３に引込むのに耐え得るワイヤ、燃糸ロープ等で形成されている。この巡回ロープ２１は、例えば、１本のロープを前記２個の引込ローラ１１に掛け渡し、図９及び図１０に示すワイヤグリップ２２にその両側から差込むことにより、ループ状に抜脱不能に連結することができる。なお、巡回ロープ２１は調整ピン２３を前記ワイヤグリップ２２内に差込んで緩めることにより、前記引込ローラ１１間を巡回動可能な張力に調整することができる。この巡回ロープ２１には連結具４２を介してケーブル４１または引込ロープが連結される。
【００２８】
次に、上記のように構成された本実施例の引込装置を使用して受具の布設路にケーブル等を引込む方法について説明する。
【００２９】
予め、２個の引込ローラ１１を受具２の布設方向に所定距離離間して金属線材４に外嵌し、取付ける。そして、巡回ロープ２１を前記２個に掛け渡し、ワイヤグリップ２２等を使用して両端を接続し、調整ピン２３で張力を調整しながら引込ローラ１１間にループ状に張設する。次に、受具２の布設路３の一側において巡回ロープ２１に連結具４２を使用してケーブル４１を連結し、受具２の布設路３の他端側において巡回ロープ２１を巡回動させることにより、図１、図２に示すように、ケーブル４１を布設路３上に引込む。そして、受具２の布設路３の他端側までケーブル４１を引込んだら、ケーブル４１を外す。以上によって、ケーブル４１を簡単に受具２の布設路３に引込むことができる。
【００３０】
ここで、巡回ロープ２１の巡回動は手でたぐり寄せて行なってもよく、或いは、駆動機器を使用して行なってもよい。このとき、巡回ロープ２１の平行するロープの一方は受具２の底部５から布設方向に沿って外部に突き出ているので、布設方向の途中においても受具２の下方から巡回ロープ２１をたぐり寄せることができる。したがって、巡回ロープ２１の巡回動操作を楽に行なうことができる。これは後述する図１１に示す、巡回ロープ２１を受具２の側部６に取付けた場合も同様であり、受具２の側方から巡回ロープ２１をたぐり寄せることができる。
【００３１】
なお、上記実施例では、ケーブル４１を直接引込む場合を示しているが、ケーブル４１の重量が大きい場合などでは、この引込装置１を使用して、図示しないが、一旦引込ロープを布設路３上に引込み、次いで、この引込ロープの一端にケーブル４１を連結して引込ロープを引き戻すことにより、ケーブル４１も同時に引き戻して受具２の布設路３に布設することもできる。
【００３２】
このように、本実施例の引込装置１は、ケーブル４１の布設方向に所定距離離間して、受具２の布設路３の形成方向と略直交して配設された金属線材４に側方から外嵌して取付けられ、該金属線材４を軸に回転する一対の引込ローラ１１と、前記一対の引込ローラ１１間に張設され、前記引込ローラ１１間の巡回動により、連結されたケーブル４１または前記ケーブル４１を引込むための引込ロープを前記布設路３に引込む巡回ロープ２１とを備えたものである。
【００３３】
したがって、２分割とし、或いは、切欠を形成した簡易な構成で引込ローラ１１を形成できるとともに、金属線材４で網状に形成された受具２に後から簡単に前記引込ローラ１１を取付けることができる。そして、２個の引込ローラ１１に掛け渡した巡回ロープ２１を巡回動させるだけの簡易な構成で簡単にケーブル４１または引込ロープを受具２の布設路３に引込むことができる。
【００３４】
ところで、上記各実施例は、引込ローラ１１は、受具２の底部５において、布設路３の形成方向と直交して配設された金属線材４に取付けているが、図１１に示すように、受具２の側部６における金属線材４に取付けてもよい。この実施例の場合は、特に、引込ローラ１１及び巡回ロープ２１が底部５ではなく側部６に取付けられているので、布設路３を広く使用することができる。
【００３５】
また、上記実施例では、受具２には２個の引込ローラ１１のみを取付けているが、別の実施例として、図１２及び図１３に示すように、２個の引込ローラ１１の間に必要に応じて補助ローラ３１を適当数取付けることもできる。図１２及び図１３において、受具２の曲がり部分等の金属線材４にはロープ保持凹部３２を有する補助ローラ３１が配設されており、一対の引込ローラ１１間に掛け渡された巡回ロープ２１は前記補助ローラ３１のロープ保持凹部３２に保持されている。この実施例の場合は、受具２に曲がり部分があるときでも巡回ロープ２１を掛け渡すことができ、また、一対の巡回ロープ２１間の距離が長いときに巡回ロープ２１を安定して巡回動できるという効果を奏する。
【００３６】
次に、更に別の実施例を図１４及び図１５に示す。
【００３７】
図１４において、引込ローラ１１は受具２の底部５において布設方向と直交して配設された金属線材４に取付けられており、左右一対の鍔部１１ａの間隔を大きくし、この部分に更にケーブル４１または引込ロープを支持できるように形成されている。即ち、引込ローラ１１の鍔部１１ａの間には、間に段部１１ｂを有する深浅２種類の凹部が形成されており、中央部の深い凹部には細径の巡回ロープ２１のみを収容し、保持するロープ保持凹部１１ｃが形成され、浅い凹部には中径または太径のケーブル４１または引込ロープを収容、支持するケーブル支持凹部１１ｄが一体に形成されている。このケーブル支持凹部１１ｄは請求項に記載の支持部に相当するものである。ここで、補助ローラ３１も同様にケーブル４１または引込ロープを支持する支持凹部を形成してもよい。なお、前記支持部は鍔部１１ａを設けてこの間に形成しているが、ケーブル４１または引込ロープを安定して支持できれば、必ずしも鍔部１１ａは設けることを要しない。
【００３８】
この実施例の引込ローラ１１または補助ローラ３１を使用すれば、これらのローラが巡回ロープ２１の巡回動を案内するとともに、前記巡回ロープ２１に連結されたケーブル４１または引込ロープをローラの支持凹部で支持するので、重量のあるケーブル４１を引込む場合の引込力を軽減することができる。また、受具２の曲がり部分等においてはケーブル４１または引込ロープを受具２の巾方向における一定位置に安定して引込むこともできる。
【００３９】
なお、図１４では、鍔部１１ａの間の凹部には段部１１ｂが形成されたものを示しているが、図１５に示すように、鍔部１１ａの間の凹部をＶ字形状に形成し、その底部にロープ保持凹部１１ｃを、上部にケーブル支持凹部１１ｄを形成したものとすることもできる。
【００４０】
更に、ケーブル４１を支持するケーブル支持凹部１１ｃなどの支持凹部が形成された引込ローラ１１及び補助ローラ３１と巡回ロープ２１とからなる引込装置１は、図１６に示すように、受具２の巾方向に複数設けることもできる。この場合は、特に、複数のケーブル４１または引込ロープを蛇行させることなく布設路３に沿って整列してかつ小さい力で引込むことができる。
【００４１】
加えて、上記各実施例における引込ローラ１１は、受具２の底部５においては図１４に示すように、また、受具２の側部６においては図１７に示すように、隣り合う金属線材４の間隔と略同一巾に形成すれば、隣り合う金属線材４間で引込ローラ１１の巾方向にずれることがないので、巡回ロープ２１または引込ロープを安定して巡回動させることができる。
【００４２】
【発明の効果】
以上のように、本発明に係る配線・配管材の引込装置は、受具の布設方向に離間して、布設方向と略直交して配設された金属線材に側方から外嵌して取付けられ、該金属線材を軸に回転する一対の引込ローラと、前記一対の引込ローラ間に張設され、前記引込ローラ間の巡回動により、連結された前記配線・配管材または前記配線・配管材を引込むための引込ロープを前記受具の布設路に引込む巡回ロープとを備えたものである。したがって、金属線材で網状に形成された受具に簡易な構成で後から簡単に引込ローラを取付けることができるとともに、一対の引込ローラに掛け渡した巡回ロープを巡回動させるだけの簡易な構成で受具の所定位置に楽に前記配線・配管材または前記引込ロープを受具の布設路に引込んで布設することができる。
【図面の簡単な説明】
【図１】本発明の実施例の配線・配管材の引込装置を示す斜視図である。
【図２】図１の引込装置を使用してケーブルを受具に引込んだ状態を示す斜視図である。
【図３】図１の引込ローラの分解斜視図である。
【図４】図１の別の引込ローラを示す側面図である。
【図５】図４のローラ本体を示す側面図である。
【図６】図４の保持部材を示す斜視図である。
【図７】図１の更に別の引込ローラを示す斜視図である。
【図８】図７の引込ローラを示す側面図である。
【図９】図１の巡回ロープを示す側面図である。
【図１０】図９のワイヤグリップを示す断面図である。
【図１１】本発明の別の実施例における配線・配管材の引込装置を示す斜視図である。
【図１２】本発明の更に別の実施例における配線・配管材の引込装置を示す平面図である。
【図１３】図１２の引込装置を示す正面図である。
【図１４】図１３の更に別の引込ローラを示す正面図である。
【図１５】図１４の更に別の引込ローラを示す正面図である。
【図１６】本発明の更に別の実施例における配線・配管材の引込装置を示す斜視図である。
【図１７】図１の更に別の引込ローラを示す正面図である。
【符号の説明】
１          引込装置
２          受具
３      布設路
４          金属線材
５          底部
６          側部
１１    引込ローラ
１１ｃ、１２ｃ、１３ｃ、１４ｃ、１５ｂ、１６ａ、３２    ロープ保持凹部
１１ｄ    ケーブル支持凹部
１２    第１分割体
１３    第２分割体
２１      巡回ロープ
３１      補助ローラ
４１      ケーブル
【図１】
0003572418.tif 000002
【図２】
0003572418.tif 000003
【図３】
0003572418.tif 000004
【図４】
0003572418.tif 000005
【図５】
0003572418.tif 000006
【図６】
0003572418.tif 000007
【図７】
0003572418.tif 000008
【図８】
0003572418.tif 000009
【図９】
0003572418.tif 000010
【図１０】
0003572418.tif 000011
【図１１】
0003572418.tif 000012
【図１２】
0003572418.tif 000013
【図１３】
0003572418.tif 000014
【図１４】
0003572418.tif 000015
【図１５】
0003572418.tif 000016
【図１６】
0003572418.tif 000017
【図１７】
0003572418.tif 000018